(57)【要約】【課題】  導線の引出し部が板状コアに当接することを防止するコイル部品の提供。【解決手段】  コイル部品は、ドラムタイプコアと板状コア３とを備えており、ドラムタイプコアは、一対のフランジ部と一対のフランジ部を連結する巻芯部とを備える。フランジ部には、それぞれ２つの電極が設けられており、コの字状をなす電極を構成する一方の側壁には、巻芯部に巻回される導線の一端又は他端が固着され継線されている。当該側壁から引出されている導線の部分は引出し部をなす。一対のフランジ部の２つの電極の間の位置には、導線をそれぞれ所定の間隔を隔てる電極不存在部が設けられており、板状コア３の一端部と他端部とに相当する凸部３Ａの位置が、それぞれ電極不存在部に固着される。引出し部に対向する凸部３Ａの位置には、引出し部から離間し非干渉部をなす凹部３ａ、３ｂが形成されている。【選択図】図２
2005310947.tif 000002
【特許請求の範囲】
【請求項１】
一対のフランジ部と、該一対のフランジ部を互いに連結する巻芯部とを備えるドラムタイプコアと、
略板状をなし長手方向の両端部が該ドラムタイプコアの該一対のフランジ部にそれぞれ固着される板状コアと、
該ドラムタイプコアの該巻芯部に巻回される巻線部を有する少なくとも１本の導線とを備え、
該一対のフランジ部には該導線の本数に対応した数の電極がそれぞれ設けられ、各該電極は該導線の一端又は他端が固着される継線部をなし、該導線は該継線部から該巻芯部に向けて引出される引出し部を有し、該板状コアは該継線部を覆うようにして該ドラムタイプコアに固着されるコイル部品において、
少なくとも該引出し部に対向する該板状コアの部分は、該引出し部と離間する非干渉部を有していることを特徴とするコイル部品。
【請求項２】
該板状コアには、該ドラムタイプコアに固着されているときに少なくとも該ドラムタイプコアの該一対のフランジ部に対向する位置に凸部が設けられ、該凸部の突出端の少なくとも一部は該ドラムタイプコアの該一対のフランジ部の該電極が設けられていない位置に固着され、
該非干渉部は該導線の該引出し部に対向する該凸部に形成された凹部からなることを特徴とする請求項１記載のコイル部品。
【請求項３】
該凹部は、該引出し部に対向する位置と該巻線部に対向する位置とにわたって連続して形成されていることを特徴とする請求項２記載のコイル部品。
【請求項４】
該板状コアには、該ドラムタイプコアに固着されているときに該ドラムタイプコアの該一対のフランジ部に対向する位置にのみ凸部が設けられ、
該非干渉部は、該ドラムタイプコアに対向する該板状コアの面の該凸部が設けられていない部分からなることを特徴とする請求項１記載のコイル部品。
【請求項５】
該板状コアは略長方形状をなし、該板状コアの長手方向に沿った一対の縁部には、該凸部の突出方向と同一の方向に向けて突出する縁部突出部が該縁部に沿ってそれぞれ設けられていることを特徴とする請求項２乃至請求項４記載のコイル部品。
【請求項６】
該非干渉部は、該ドラムタイプコアに対向する該板状コアの面に形成された凹部からなることを特徴とする請求項１記載のコイル部品。
【発明の詳細な説明】
【技術分野】
【０００１】
本発明はコイル部品に関し、特に小型高周波用のコモンモードフィルタ等を構成するコイル部品に関する。
【背景技術】
【０００２】
従来よりコモンモードフィルタ等のコイル部品としては、導線が巻回されたドラムタイプコアに板状コアが固着されてなる構成が知られている。
【０００３】
特開２００１−９３７５６号公報には、この構成のコイル部品が記載されている。コイル部品は、図５に示されるように、ドラムタイプコア１０１（図５（ｂ））と板状コア１０３（図５（ａ））と３本の導線１２１、１２２、１２３（図６）とを備える。ドラムタイプコア１０１は一対のフランジ部１１１、１１２と巻芯部１１３とを備え、巻芯部１１３は一対のフランジ部１１１、１１２を互いに連結する。導線１２１、１２２、１２３は、ドラムタイプコア１０１の巻芯部１１３にそれぞれ巻回される。板状コア１０３は、その長手方向の両端部がドラムタイプコア１０１の一対のフランジ部１１１、１１２にそれぞれ固着される。
【０００４】
一対のフランジ部１１１、１１２には、導線１２１、１２２、１２３の本数に対応した数である３つの電極１１４、１１５、１１６、電極１１７、１１８、１１９がそれぞれ設けられている。一方のフランジ部１１１の各電極１１４、１１５、１１６には３本の導線１２１、１２２、１２３の一端がそれぞれ固着され、他方のフランジ部１１２の各電極１１７、１１８、１１９には３本の導線１２１、１２２、１２３の他端が固着され、各電極１１４〜１１９の一部は、導線１２１、１２２、１２３の一端又は他端がそれぞれ固着される継線部１１４Ａ〜１１９Ａをなしている。導線１２１、１２２、１２３は、継線部１１４Ａ〜１１９Ａから巻芯部１１３に向けて引き出される引出し部１２１Ａ、１２１Ｂ等（図６）と、巻芯部１１３に巻回されている巻線部１２１Ｃ等とを備える。導線１２１、１２２、１２３は、図示せぬ巻線装置が用いられてドラムタイプコア１０１の巻芯部１１３に巻回される。板状コア１０３は、図６に示されるように、継線部１１４Ａ〜１１９Ａを覆うようにしてドラムタイプコア１０１に固着される。
【特許文献１】特開２００１−９３７５６号公報（２頁〜３頁、図１〜図３）
【発明の開示】
【発明が解決しようとする課題】
【０００５】
しかし、従来のコイル部品を製造する際には、図６に示されるように導線１２１、１２２、１２３は、引出し部１２１Ａ、１２１Ｂ等が継線部１１４Ａ〜１１９Ａから巻芯部１１３に向かう方向に巻線装置によって引出され、巻芯部１１３に巻回されるのであるが、実際には引出し部１２１Ａ、１２１Ｂ等を、このように継線部１１４Ａ〜１１９Ａから巻芯部１１３に向かう方向へ引出した状態とすることができない場合があり、量産されたコイル部品の中には、図示せぬ巻線装置によって巻かれた後の導線１２１、１２２、１２３の引出し部１２１Ａ、１２１Ｂ等が、ドラムタイプコア１０１の外方、即ち、板状コア１０３の方へ向かって大きく湾曲した形状となっているものがあった。
【０００６】
このように大きく湾曲してしまうと、板状コア１０３に導線１２１、１２２、１２３の引出し部１２１Ａ、１２１Ｂ等が当接してしまい、板状コア１０３の長手方向の両端部をドラムタイプコア１０１の一対のフランジ部１１１、１１２の両方にそれぞれ当接させることができなくなる。このため、板状コア１０３をドラムタイプコア１０１に確実に固着させることができず、板状コア１０３がドラムタイプコア１０１から浮いた状態となってしまうという問題が生じていた。
【０００７】
また、このように板状コア１０３に導線１２１、１２２、１２３の引出し部１２１Ａ、１２１Ｂ等が当接していると、振動等により引出し部１２１Ａ、１２１Ｂ等の位置において導線１２１、１２２、１２３の被覆が剥けてしまい、ショート等の原因となり、製品の耐久性を低下させるという問題が生じていた。
【０００８】
そこで、本発明は、導線の引出し部が板状コアに当接することを防止するコイル部品を提供することを目的とする。
【課題を解決するための手段】
【０００９】
上記目的を達成するために、本発明は、一対のフランジ部と、該一対のフランジ部を互いに連結する巻芯部とを備えるドラムタイプコアと、略板状をなし長手方向の両端部が該ドラムタイプコアの該一対のフランジ部にそれぞれ固着される板状コアと、該ドラムタイプコアの該巻芯部に巻回される巻線部を有する少なくとも１本の導線とを備え、該一対のフランジ部には該導線の本数に対応した数の電極がそれぞれ設けられ、各該電極は該導線の一端又は他端が固着される継線部をなし、該導線は該継線部から該巻芯部に向けて引出される引出し部を有し、該板状コアは該継線部を覆うようにして該ドラムタイプコアに固着されるコイル部品において、少なくとも該引出し部に対向する該板状コアの部分は、該引出し部と離間する非干渉部を有しているコイル部品を提供している。
【００１０】
ここで、該板状コアには、該ドラムタイプコアに固着されているときに少なくとも該ドラムタイプコアの該一対のフランジ部に対向する位置に凸部が設けられ、該凸部の突出端の少なくとも一部は該ドラムタイプコアの該一対のフランジ部の該電極が設けられていない位置に固着され、該非干渉部は該導線の該引出し部に対向する該凸部に形成された凹部からなることが好ましい。
【００１１】
また、該凹部は、該引出し部に対向する位置と該巻線部に対向する位置とにわたって連続して形成されていることが好ましい。
【００１２】
または、該板状コアには、該ドラムタイプコアに固着されているときに該ドラムタイプコアの該一対のフランジ部に対向する位置にのみ凸部が設けられ、該非干渉部は、該ドラムタイプコアに対向する該板状コアの面の該凸部が設けられていない部分からなることが好ましい。
【００１３】
また、該板状コアは略長方形状をなし、該板状コアの長手方向に沿った一対の縁部には、該凸部の突出方向と同一の方向に向けて突出する縁部突出部が該縁部に沿ってそれぞれ設けられていることが好ましい。
【００１４】
また、該非干渉部は、該ドラムタイプコアに対向する該板状コアの面に形成された凹部からなることが好ましい。
【発明の効果】
【００１５】
本発明の請求項１又は２記載のコイル部品によれば、少なくとも引出し部に対向する板状コアの部分は、引出し部と離間する非干渉部を有しているため、導線の引出し部が板状コアの方へ向けて大きく湾曲している場合であっても、導線の引出し部が板状コアに当接することを防止することができる。このため、板状コアがドラムタイプコアから浮いてしまうことを防止することができ、また、導線の被覆が板状コアと擦れて剥けてしまうのを防止することができる。
【００１６】
本発明の請求項３記載のコイル部品によれば、凹部は、導線の引出し部に対向する位置と巻線部に対向する位置とにわたって連続して形成されているため、凸部の突出端に塗布され板状コアをドラムタイプコアに固着させるための樹脂の当該塗布された状態が、凸部の突出端において均一な状態で安定して維持され、製品ごとの固着強度のバラツキを抑えることができる。
【００１７】
本発明の請求項４記載のコイル部品によれば、板状コアには、ドラムタイプコアに固着されているときにドラムタイプコアの一対のフランジ部に対向する位置にのみ凸部が設けられ、非干渉部は、ドラムタイプコアに対向する板状コアの面の凸部が設けられていない部分からなるため、凸部の突出端に塗布され板状コアをドラムタイプコアに固着させるための樹脂の当該塗布された状態が、凸部の突出端において均一な状態で安定して維持され、製品ごとの固着強度のバラツキを抑えることができる。
【００１８】
本発明の請求項５記載のコイル部品によれば、板状コアは略長方形状をなし、板状コアの長手方向に沿った一対の縁部には、凸部の突出方向と同一の方向に向けて突出する縁部突出部が縁部に沿ってそれぞれ設けられているため、樹脂の粘性が低い場合に、板状コアの凸部の突出端から樹脂が流れて、板状コアの縁部から流れ落ちてしまうことを防止することができる。
【００１９】
本発明の請求項６記載のコイル部品によれば、非干渉部は、ドラムタイプコアに対向する板状コアの面に形成された凹部からなるため、導線の引出し部が板状コアの方へ向けて大きく湾曲している場合であっても、引出し部が凹部の位置において板状コイルに当接しないで収容され、導線の引出し部が板状コアに当接することを防止することができる。
【発明を実施するための最良の形態】
【００２０】
本発明の第１の実施の形態によるコイル部品について図１乃至図２に基づき説明する。コイル部品は、より具体的には図１に示されるようなフェライト製のドラムタイプコア１と、絶縁材料によって被覆されたワイヤにより構成されドラムタイプコア１に巻回される２本の導線２１、２２と、図２に示されるようなフェライト製の板状コア３とを備える、小型の電子機器に使用される高周波用のコモンモードフィルタである。
【００２１】
図１に示されるように、ドラムタイプコア１は、一対のフランジ部１１、１２と巻芯部１３とを備えており、巻芯部１３は一対のフランジ部１１、１２を互いに連結する。一対のフランジ部１１、１２は略同一の略直方体形状をなしており、一方のフランジ部１１の、当該略直方体形状を画成する６つの面の内の、最も広い一対の面の一方１１Ａの略中心位置は、巻芯部１３の一端に接続されている。
【００２２】
同様に、他方のフランジ部１２の、当該略直方体形状を画成する６つの面の内の、最も広い一対の面の他方１２Ａの略中心位置は、巻芯部１３の他端に接続されている。巻芯部１３の一端と他端とにそれぞれ接続されている一対のフランジ部１１、１２を画成する面１１Ａ、１２Ａは、互いに対向する対称の位置関係となっており、略長方形状の面１１Ａ、１２Ａのそれぞれの４つの角は、一対のフランジ部１１、１２を結ぶ方向である巻芯部１３の軸方向において、それぞれ対向する位置関係となっている。また、面１１Ａ、１２Ａは互いに平行の位置関係をなしている。
【００２３】
一対のフランジ部１１、１２には電極１４、１５、電極１６、１７がそれぞれ設けられている。電極１４〜１７は、一対のフランジ部１１、１２のそれぞれにおいて、２本の導線２１、２２の本数に対応した数の２つずつ設けられている。電極１４〜１７は、それぞれ一対の側壁１４Ａ〜１７Ａ、１５Ｂ、１６Ｂ、１７Ｂ等と底面１５Ｃ、１６Ｃ、１７Ｃとにより略コの字状に、フランジ部１１、１２の一対の側面１１Ｂ、１２Ｂ、１１Ｃ、１２Ｃと底面１１Ｄ、１２Ｄとに跨るようにして金属めっきされて設けられている。
【００２４】
より具体的には、略コの字状を画成する電極１４、１５の一方の側壁１４Ａ、１５Ａは、フランジ部１１の側面１１Ｂ上に固着され、電極１４の図示せぬ他方の側壁は、フランジ部１１の側面１１Ｃ上に固着される。同様に、電極１５の他方の側壁１５Ｂは、フランジ部１１の側面１１Ｃ上に固着される。電極１６、１７の一方の側壁１６Ａ、１７Ａは、フランジ部１２の側面１２Ｂ上に固着され、電極１６、１７の他方の側壁１６Ｂ、１７Ｂは、フランジ部１２の側面１２Ｃ上に固着される。
【００２５】
略コの字状を画成する電極１４の図示せぬ底面は、フランジ部１１の底面１１Ｄ上に固着される。同様に、略コの字状を画成する電極１５の底面１５Ｃは、フランジ部１１の底面１１Ｄ上に固着される。電極１６、１７の底面１６Ｃ、１７Ｃは、フランジ部１２の底面１２Ｄ上に固着されている。電極１４〜１７の略コの字状を画成する側壁１４Ａ、１５Ａ、１６Ａ、１７Ａは、略同一平面上に位置し、また、側壁１５Ｂ、１６Ｂ、１７Ｂは、略同一平面上に位置する。
【００２６】
巻芯部１３は、その長手方向に切った断面、即ち、軸方向に垂直に切った断面が略四角形の角柱状をなし、前述のように、その一端と他端とが一対のフランジ部１１、１２のそれぞれに接続されている。２本の導線２１、２２は、一方のフランジ部１１の各電極１４、１５の側壁１４Ａ、１５Ａにその一端がそれぞれ固着されて継線され、図示せぬ巻線装置が用いられてドラムタイプコア１の巻芯部１３に巻回される。２本の導線２１、２２は、ドラムタイプコア１の巻芯部１３に互い違いに隙間無く巻回された状態となるいわゆるバイファイラ巻きされ、他方のフランジ部１２の各電極１６、１７の側壁１６Ａ、１７Ａにその他端がそれぞれ固着されて継線される。各電極１４〜１７の側壁１４Ａ〜１７Ａは、導線２１、２２の一端又は他端が固着される継線部をなす。
【００２７】
導線２１、２２の一端又は他端の電極１４〜１７への継線は、半田や導電性接着剤等の導電性固剤が用いられるか、又は、スポット溶接や熱圧着により行われる。熱圧着をヒーターチップにより行う場合には、導線２１、２２の一端又は他端が電極１４〜１７に熱圧着可能なように、電極１４〜１７の側壁１４Ａ〜１７Ａの表面に、錫（Ｓｎ）メッキ層又ははんだめっき層が比較的厚く設けられる。導線２１、２２の一部であって継線部をなす電極１４〜１７の側壁１４Ａ〜１７Ａから巻芯部１３へ向けて引出される部分は引出し部２１Ａ、２１Ｂ、２２Ａ、２２Ｂをなし、ドラムタイプコア１の巻芯部１３に巻回された部分は巻線部２１Ｃ、２２Ｃをなす。
【００２８】
フランジ部１１に設けられた２つの電極１４、１５の継線部をなす側壁１４Ａと側壁１５Ａとの間の部分、及びフランジ部１２に設けられた２つの電極１６、１７の継線部をなす側壁１６Ａと側壁１７Ａとの間の部分は、電極が設けられていない電極不存在部１１Ｅ、１２Ｅとなっている。
【００２９】
略コの字状を画成する電極１４〜１７の継線部をなす一方の側壁１４Ａ、１５Ａ、１６Ａ、１７Ａに対向する他方の側壁１５Ｂ、１６Ｂ、１７Ｂ等は、コイル部品たるコモンモードフィルタの実装面の一部を構成していわゆるユーザー電極部をなし、図示せぬ配線基板上に固着される。図示せぬ配線基板上への固着は、例えば、図示せぬ導体が印刷された図示せぬ配線基板上の当該導体上にクリーム半田が印刷され、ドラムタイプコア１の電極１４〜１７の側壁１５Ｂ、１６Ｂ、１７Ｂ等が図示せぬ当該導体上に位置するように載置され、リフローにより半田付けされて行われる。
【００３０】
板状コア３は、図２に示されるように、略板状をした略長方形状をなしており、その長手方向の一端部と他端部とが、それぞれドラムタイプコア１のフランジ部１１、１２の電極不存在部１１Ｅ、１２Ｅの位置に固着される。図２に示される板状コア３の幅Ｗの方向における中央位置には、凸部３Ａが設けられている。凸部３Ａは、板状コア３の長手方向の一端をなす短辺から他端をなす短辺に渡って一直線状に設けられており、従って、板状コア３がドラムタイプコア１に固着されているときには、フランジ部１１、１２の電極不存在部１１Ｅ、１２Ｅには板状コア３の凸部３Ａが対向している。凸部３Ａ、３Ａがフランジ部１１、１２の電極不存在部１１Ｅ、１２Ｅの位置に固着されることにより、板状コア３は、ドラムタイプコア１のフランジ部１１、１２の継線部をなす電極１４〜１７の側壁１４Ａ〜１７Ａを覆うようにして、ドラムタイプコア１に固着される。凸部３Ａは、図２に示される板状コア３の幅Ｗの方向に所定の幅を有しており、凸部３Ａの突出端は平面をなす。
【００３１】
凸部３Ａの一部であって、板状コア３がドラムタイプコア１に固着されているときの導線２１、２２の引出し部２１Ａ、２１Ｂ、２２Ａ、２２Ｂに対向する位置には、それぞれ凹部３ａ、３ｂが形成されている。凹部３ａ、３ｂは、凸部３Ａにおいて板状コア３の幅Ｗの方向にわたって形成されており、あたかも凸部３Ａを板状コア３の長手方向に３つに分断するような２本の溝状をなし、導線２１、２２の引出し部２１Ａ、２１Ｂ、２２Ａ、２２Ｂと所定の間隔をもって離間する非干渉部をなす。
【００３２】
板状コア３のドラムタイプコア１への固着は、以下のようにして行われる。先ず、紫外線及び熱によって硬化可能な接着剤を、板状コア３の凸部３Ａ上に塗布するか、又は、板状コア３に対向するドラムタイプコア１のフランジ部１１、１２及び巻芯部１３上、即ちドラムタイプコア１のフランジ部１１、１２の電極不存在部１１Ｅ、１２Ｅと電極１４〜１７の継線部をなす側壁１４Ａ、１５Ａ、１６Ａ、１７Ａと板状コア３に対向する巻芯部１３の部分との上に塗布する。板状コア３の凸部３Ａへの接着剤の塗布は、凸部３Ａの突出端をなす平面上において、略長方形状をなす板状コア３の一対の短辺の一方から他方に至るまで、板状コア３の長手方向に沿って一直線状に行われる。
【００３３】
次に、板状コア３の凸部３Ａ、３Ａを電極不存在部１１Ｅ、１２Ｅにそれぞれ当接させ、板状コア３の長手方向の一端部分又は他端部分における凸部３Ａ、３Ａ以外の部分と、フランジ部１１、１２の電極１４〜１７の継線部をなす側壁１４Ａ〜１７Ａとの間に生じている隙間に、紫外線及び熱により硬化可能な接着剤を充填する。次に、紫外線照射を行い、接着剤の表面を硬化させて仮固定する。そして、加熱炉に通して接着剤全体を硬化させることにより、板状コア３がドラムタイプコア１へ固着される。
【００３４】
非干渉部をなす凹部３ａ、３ｂが板状コア３に形成されているため、導線２１、２２の引出し部２１Ａ、２１Ｂ、２２Ａ、２２Ｂが板状コア３の方へ向けて大きく湾曲した形状となっていても、板状コア３に引出し部２１Ａ、２１Ｂ、２２Ａ、２２Ｂが当接することを防止することができる。このため、板状コア３をドラムタイプコア１に確実に固着させることができ、板状コア３がドラムタイプコア１から浮いた状態となってしまうことを防止することができる。
【００３５】
次に、本発明の第２の実施の形態によるコイル部品について図３に基づき説明する。第２の実施の形態によるコイル部品は、コイル部品を構成する板状コア４の形状が第１の実施の形態によるコイル部品とは異なる。第１の実施の形態における部分、部材と同一の部材については、同一の符号を用いて説明する。
【００３６】
板状コア４の凸部４Ａは、図３に示されるように、ドラムタイプコア１に固着されているときに一対のフランジ部１１、１２の電極不存在部１１Ｅ、１２Ｅに対向する位置にのみ設けられており、巻芯部１３に対向する位置には凸部４Ａは設けられていない。第１の実施の形態と同様に、１つの凸部４Ａが、略長方形状をした板状コア４の長手方向の一方の短辺から他方の短辺にわたって設けられていると考えると、凸部４Ａに形成された凹部４ａは、板状コア４がドラムタイプコア１に固着されているときに導線２１、２２の引出し部２１Ａ、２１Ｂ、２２Ａ、２２Ｂに対向する位置と、導線２１、２２の巻線部２１Ｃ、２２Ｃに対向する位置とにわたって連続して形成されている。ドラムタイプコア１に対向する板状コア４の面の、凸部４Ａが設けられていない部分は、非干渉部に相当する。
【００３７】
この構成により、凸部４Ａの突出端をなす平面に塗布され板状コア４をドラムタイプコア１に固着させるための樹脂の当該塗布された状態を、凸部４Ａの突出端において均一な状態で安定して維持することができる。このため、製品ごとの固着強度のバラツキを抑えることができる。特に、板状コア４の凸部４Ａへ接着剤を塗布するときに、板状コア４の長手方向に沿って板状コア４の一対の短辺の一方から他方に至るまで一直線状に塗布する場合にはこの効果は顕著である。
【００３８】
次に、本発明の第３の実施の形態によるコイル部品について図４に基づき説明する。第３の実施の形態によるコイル部品は、コイル部品を構成する板状コア５の凸部５Ａの形状は第２の実施の形態における凸部４Ａと同様である。しかし、図４に示されるように、板状コア５の長手方向に沿った一対の縁部、即ち、略長方形をした板状コア５の長辺に相当する位置には、縁部突出部５Ｂ、５Ｃが設けられている。
【００３９】
縁部突出部５Ｂ、５Ｃは、凸部５Ａの突出方向と同一の方向に突出しており、突出長は凸部５Ａよりも若干低く、継線部をなす電極１４〜１７の側壁１４Ａ〜１７Ａに当接しないように構成されている。縁部突出部５Ｂ、５Ｃが設けられているため、凸部５Ａの突出端をなす平面に塗布された接着剤が非干渉部をなす凹部５ａに流れたときに、縁部突出部５Ｂ、５Ｃがあたかも堤防のように機能し、板状コア５の縁部から流れ落ちてしまうことを防止することができる。
【００４０】
本発明によるコイル部品は、上述した実施の形態に限定されず、特許請求の範囲に記載した範囲で種々の変形や改良が可能である。例えば、本実施の形態においては、コイル部品はコモンモードフィルタであったが、これに限定されず、コモンモードフィルタ以外のコイル部品であってもよい。
【００４１】
また、導線２１、２２の本数は２本であり、凸部３Ａ、４Ａ、５Ａは板状コア３、４、５の長手方向に一直線状に設けられていたが、これらの数には限定されない。従って、例えば、導線の本数が３本の場合には、一のフランジ部における電極不存在部は２つ設けられることになり、これに対向する板状コアの凸部は、平行な一直線状の２列をなす。また、ドラムタイプコアのフランジ部や巻芯部の形状は、本実施の形態の形状に限られない。
【００４２】
また、非干渉部は凸部３Ａ、４Ａ、５Ａに形成された凹部３ａ、３ｂ、４ａ、５ａにより構成されていたが、これに限定されない。例えば、ドラムタイプコアに対向する板状コアの面上に凸部が設けられていない場合には、当該板状コアの面上に形成された凹部により構成されてもよい。
【００４３】
また、電極１４〜１７は、略コの字状をした金属がフランジ部１１、１２の一対の側面１１Ｂ、１２Ｂ、１１Ｃ、１２Ｃと底面１１Ｄ、１２Ｄとを覆うようにして装着されることにより設けられていたが、これに限定されない。例えば、金属ペーストの焼付けや金属めっき等により設けられてもよい。また、略コの字状を画成する電極１４〜１７の継線部をなす一方の側壁１４Ａ〜１７Ａに対する他方の側壁１４Ｂ、１６Ｂ、１７Ｂ等の、基板上への固着（実装）は、本実施の形態による方法に限定されない。
【００４４】
また、板状コア３、４、５の凸部３Ａ、４Ａ、５Ａへの接着剤の塗布は、板状コア３、４、５の長手方向に沿って板状コア３、４、５の一対の短辺の一方から他方に至るまで一直線状に行われたが、ドラムタイプコアのフランジ部に対向する板状コアの凸部の位置にのみ行ってもよい。
【００４５】
また、フランジ部１１の電極１４と電極１５との間の側面１１Ｂの部分と、フランジ部１２の電極１６と電極１７との間の側面１２Ｂの部分とは、図１に示されるように、それぞれ平坦面により構成されたが、平坦面に限定されない。これらの部分に、一対のフランジ部１１、１２を結ぶ方向に沿って平行な２本の溝を形成してもよく、この場合には、２本の導線をこの溝内に配置させる。これら２本の溝の間の部分は、２本の溝に対して相対的に突出し２本の導線を所定の間隔で互いに離間させる分離用凸部をなす。
【産業上の利用可能性】
【００４６】
本発明のコイル部品は、コモンモードフィルタの分野において有用であり、特に、ＤＶＩ、ＨＤＭＩ等の高速差動信号インターフェースに用いられる小型高周波用のコモンモードフィルタの分野において極めて有用である。
【図面の簡単な説明】
【００４７】
【図１】第１の実施の形態によるコイル部品のドラムタイプコア及び導線を示す斜視図。
【図２】第１の実施の形態によるコイル部品の板状コアを示す斜視図。
【図３】第２の実施の形態によるコイル部品の板状コアを示す斜視図。
【図４】第３の実施の形態によるコイル部品の板状コアを示す斜視図。
【図５（ａ）】従来のコイル部品の板状コアを示す斜視図。
【図５（ｂ）】従来のコイル部品のドラムタイプコアを示す斜視図。
【図６】従来のコイル部品を示す側面図。
【符号の説明】
【００４８】
１      ドラムタイプコア
３、４、５      板状コア
３Ａ    凸部
３ａ、３ｂ、４ａ、５ａ    凹部
１１    フランジ部
１３    巻芯部
１４、１５、１６、１７    電極
１４Ａ、１５Ａ、１６Ａ、１７Ａ    側壁
２１、２２    導線
２１Ａ、２１Ｂ、２２Ａ、２２Ｂ    引出し部
２１Ｃ、２２Ｃ    巻線部
【図１】
2005310947.tif 000003
【図２】
2005310947.tif 000004
【図３】
2005310947.tif 000005
【図４】
2005310947.tif 000006
【図５（ａ）】
2005310947.tif 000007
【図５（ｂ）】
2005310947.tif 000008
【図６】
2005310947.tif 000009